(57)【要約】【課題】簡易な構造により、物品の大きさや形状等に関わらずに安定して物品を保持できる保持具を提供することを目的とする。【解決手段】保持具１は、上方が開放された凹空間３を有する保持具本体５と、凹空間３を覆うように配される複数の帯状体７と、を備える。帯状体７には、長手方向に伸縮可能な蛇腹部９がそれぞれ形成されている。収容する物品の大きさや形状等に応じて、伸縮可能な蛇腹部９を形成した帯状体７が変形する。よって、物品の大きさや形状等に関わらずに安定して物品を保持できる。【選択図】図１
2015202148.tif 000002
【特許請求の範囲】
【請求項１】
物品を保持するための保持具であって、
上方が開放された凹空間を有する保持具本体と、
前記凹空間を覆うように配される複数の帯状体と、を備え、
前記複数の帯状体には、長手方向に伸縮可能な蛇腹部がそれぞれ形成されていることを特徴とする保持具。
【請求項２】
前記帯状体１つに対して、前記蛇腹部は複数形成されていることを特徴とする請求項１に記載の保持具。
【請求項３】
前記帯状体１つに対して形成されている複数の前記蛇腹部は、所定間隔で配置されていることを特徴とする請求項２に記載の保持具。
【請求項４】
前記帯状体のうち、前記凹空間の上方に位置する部分の略全面に前記蛇腹部が形成されていることを特徴とする請求項１に記載の保持具。
【発明の詳細な説明】
【技術分野】
【０００１】
本発明は、物品を保持するための保持具に関し、さらに詳しくは、物品の大きさや形状等に関わらずに安定して物品を保持できる保持具に関する。
【背景技術】
【０００２】
従来から、物品を保持する保持具が知られている。例えば、大きさの異なる種々の飲み物容器を保持するための保持具が提案されている（例えば、特許文献１等参照）。
この保持具では、飲み物容器を保持する収容部に熱可逆性のゲルを採用している。そして、この保持具では、ゲルを飲み物容器の大きさに応じて変形させることで、大きさが異なる種々の飲み物容器を保持している。
しかしながら、このものでは、温度変化によって、ゲルの軟化状態と硬化状態とを可逆的に変化させるため、温度変化用の機構を設ける必要があり、構造が複雑となる。
また、ゲルの温度変化のために、熱エネルギーの制御が必要となる。更に、ゲルを、軟化状態と硬化状態との間で可逆的に変化させるためは、スイッチ操作する必要があり、操作が煩雑である。
【先行技術文献】
【特許文献】
【０００３】
【特許文献１】特開２０１０−５８６０６号公報
【発明の概要】
【発明が解決しようとする課題】
【０００４】
本発明は、上記現状に鑑みてなされたものであり、簡易な構造により、物品の大きさや形状等に関わらずに、安定して物品を保持できる保持具を提供することを目的とする。
【課題を解決するための手段】
【０００５】
上記問題を解決するために、請求項１に記載の発明は、
物品を保持するための保持具であって、
上方が開放された凹空間を有する保持具本体と、
前記凹空間を覆うように配される複数の帯状体と、を備え、
前記複数の帯状体には、長手方向に伸縮可能な蛇腹部がそれぞれ形成されていることを要旨とする。
請求項２に記載の発明は、請求項１に記載の発明において、
前記帯状体１つに対して、前記蛇腹部は複数形成されていることを要旨とする。
請求項３に記載の発明は、請求項２に記載の発明において、
前記帯状体１つに対して形成されている複数の前記蛇腹部は、所定間隔で配置されていることを要旨とする。
請求項４に記載の発明は、請求項１に記載の発明において、
前記帯状体のうち、前記凹空間の上方に位置する部分の略全面に前記蛇腹部が形成されていることを要旨とする。
【発明の効果】
【０００６】
本発明の物品を保持するための保持具は、上方が開放された凹空間を有する保持具本体と、凹空間を覆うように配される複数の帯状体と、を備える。そして、複数の帯状体には、長手方向に伸縮可能な蛇腹部がそれぞれ形成されている。
この構成では、収容する物品の大きさや形状等に合わせて、伸縮可能な蛇腹部を形成した帯状体が変形する。よって、物品の大きさや形状等に関わらずに安定して物品を保持できる。
また、本発明の保持具は、課題を解決するために、帯状体に蛇腹部を形成するという構造を採用しており、構造が簡易である。
更に、本発明の保持具では、簡易な構造を採用しているから、設置場所に制限が少なく、設置の自由度が増している。
また、帯状体１つに対して、蛇腹部が複数形成されている場合には、収容する物品の大きさや形状等に応じて、追従しやすくなる。
また、帯状体１つに対して、蛇腹部が複数形成されており、帯状体１つに対して形成されている複数の蛇腹部が、所定間隔で配置されている場合にも、収容する物品の大きさや形状等に応じて、追従しやすくなる。
また、帯状体のうち、凹空間の上方に位置する部分の略全面に蛇腹部が形成されている場合にも、収容する物品の大きさや形状等に合わせて、追従しやすくなる。
【図面の簡単な説明】
【０００７】
本発明について、本発明による典型的な実施形態の非限定的な例を挙げ、言及された複数の図面を参照しつつ以下の詳細な記述にて更に説明するが、同様の参照符号は図面のいくつかの図を通して同様の部品を示す。
【図１】実施例１に係る保持具の断面を示す説明図である。
【図２】図１の部分拡大図である。
【図３】実施例１に係る保持具の平面図である。
【図４】帯状体の平面図である。
【図５】帯状体の側面図である。
【図６】実施例１に係る保持具の使用状態の断面を示す説明図である。
【図７】実施例２に係る保持具の断面を示す説明図である。
【図８】実施例２に係る保持具の使用状態の断面を示す説明図である。
【図９】実施例２に係る保持具の使用状態の断面を示す説明図である。
【図１０】実施例２に係る保持具の使用状態の断面を示す説明図である。
【図１１】実施例３に係る保持具の断面を示す説明図である。
【図１２】他の実施例に係る保持具の断面を示す説明図である。
【発明を実施するための形態】
【０００８】
ここで示される事項は例示的なものおよび本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【０００９】
本実施形態に係る物品を保持するための保持具（１）は、上方が開放された凹空間（３）を有する保持具本体（５）と、凹空間（３）を覆うように配される複数の帯状体（７）と、を備える。
そして、複数の帯状体（７）には、長手方向に伸縮可能な蛇腹部（９）がそれぞれ形成されている。
【００１０】
保持具（１）に保持される物品としては、特に限定されない。例えば、飲み物容器、筆記具、オーディオプレーヤー、携帯電話等が挙げられる。
保持具本体（５）の大きさは特に限定されず、目的に応じて適宜選択できる。例えば、保持する物品の大きさ、保持具の設置場所等を考慮した大きさとすることができる。
上方が開放された凹空間（３）の大きさ、形状は特に限定されず、目的に応じて適宜選択できる。例えば、保持する物品の大きさ、形状等を考慮して決められる。通常、保持する物品の大きさよりも、少し大きめとされる。
また、保持具本体（５）の材料は特に限定されず、目的に応じて適宜選択できる。例えば、合成樹脂、金属等を採用することができる。合成樹脂としては、熱可塑性樹脂、熱硬化性樹脂等を用いることができる。
熱可塑性樹脂としては、例えば、ポリプロピレン、ポリエチレン、ポリスチレン、アクリロニトリル／ブタジエン／スチレン（ＡＢＳ）、塩化ビニル、塩化ビニリデン、フッ素樹脂、アクリル樹脂、ポリ酢酸ビニル樹脂、ポリアミド樹脂、アセタール樹脂、ポリカーボネート、ポリフェニレンオキシド、ポリエステル、ポリスルホン、ポリイミド、及びこれらの誘導体等を用いることができる。
また、熱硬化性樹脂としては、例えば、フェノール樹脂、ユリア樹脂、メラミン樹脂、アルキド樹脂、不飽和ポリエステル樹脂、エポキシ樹脂、ケイ素樹脂、ポリウレタン樹脂、及びこれらの誘導体等を用いることができる。
【００１１】
帯状体（７）の本数、長さ、幅等は、特に限定されず、目的に応じて適宜選択できる。
帯状体（７）の材料は、特に限定されず、目的に応じて適宜選択できる。例えば、シリコーン樹脂、ポリウレタン樹脂、軟質塩化ビニル樹脂等が用いられる。これらの樹脂の中でも、シリコーン樹脂が好ましい。シリコーン樹脂は、適度な堅さを備えた上に、伸縮可能であり、また、耐久性が高いからである。
【００１２】
蛇腹部（９）は、山部分（９Ａ）と谷部分（９Ｂ）とが、帯状体（７）の長手方向に交互に連続したものである。蛇腹部（９）では、隣り合う山部分（９Ａ）同士の間隔、及び隣り合う谷部分（９Ｂ）同士の間隔が変化することにより、伸縮する。すなわち、隣り合う山部分（９Ａ）同士の間隔、及び隣り合う谷部分（９Ｂ）同士の間隔が大きくなると、蛇腹部（９）の長さが伸びることになる。一方、隣り合う山部分（９Ａ）同士の間隔、及び隣り合う谷部分（９Ｂ）同士の間隔が小さくなると、蛇腹部（９）の長さが縮むことになる。
【００１３】
帯状体（７）１つに対する蛇腹部（９）の個数は、単数であっても複数であってもよい。帯状体（７）１つに対する蛇腹部（９）の個数は、複数である方が、好ましい。複数の場合には、収容する物品の大きさや形状等に合わせて、帯状体（７）が追従しやすくなるからである。
帯状体（７）において、蛇腹部（９）が形成されていない領域がある場合には、この領域、すなわち、蛇腹部非形成領域（１１）の形態は特に限定されない。例えば、蛇腹部非形成領域（１１）は、平坦面（１１Ａ）を有する形態であってもよい（図５参照）。
また、帯状体（７）１つに対する蛇腹部（９）の個数が複数の場合には、蛇腹部（９）同士の間隔は、目的に応じて適宜設定できる。
【００１４】
帯状体（７）１つに対する蛇腹部（９）の個数が、単数ときには、次の２つの場合がある。まず、凹空間（３）の上方に位置する部分の一部に蛇腹部（９）が形成されている場合である。この場合には、凹空間（３）の上方に位置する部分のうち、蛇腹部（９）が形成されていない領域は、蛇腹部非形成領域（１１）とされる。この場合においても、例えば、蛇腹部非形成領域（１１）は、平坦面（１１Ａ）を有する形態であってもよい。
他の場合としては、凹空間（３）の上方に位置する部分の略全面に蛇腹部（９）が形成されている場合である。この場合には、収容する物品の大きさや形状等に合わせて、帯状体（７）が追従しやすくなる（図１１参照）。
【００１５】
本実施形態の保持具（１）では、収容する物品の大きさや形状等に応じて、蛇腹部（９）を形成した帯状体（７）が伸縮して変形する。よって、物品の大きさや形状等に関わらずに安定して物品を保持できる。また、本実施形態の保持具（１）は、帯状体（７）に蛇腹部（９）が形成されているという簡易な構造により課題を解決している。よって、少数の部品構成とすることができるから、製造も容易である。更に、本実施形態の保持具（１）では、簡易な構造を採用しているから、設置場所に制限が少なく、設置の自由度が増している。よって、本実施形態の保持具（１）を備えた構造体の設計が容易である。
【００１６】
なお、上記実施形態で記載した各構成の括弧内の符号は、後述する実施例に記載の具体的構成との対応関係を示すものである。
【実施例】
【００１７】
以下、図面を用いて実施例により本発明を具体的に説明する。
【００１８】
＜実施例１＞
（１）物品を保持するための保持具の構成
本発明の保持具１を車両のカップホルダに適用した例を実施例１として説明する。
保持具１は、図１、図３に示すように、上方が開放された凹空間３を有する保持具本体５と、凹空間３を覆うように配される複数の帯状体７と、を備える。凹空間３は、飲み物容器１７を収納するためのものであり、底壁１３と側壁１５によって囲まれた空間である。
各帯状体７は、図２に示すように、凹空間３の上端部付近で、側壁１５に挟み込まれるようにして取り付けられている。
【００１９】
本実施例では、帯状体７は７本並んで配置されている。
図３〜図５に示すように、いずれの帯状体７にも、長手方向に伸縮可能な蛇腹部９がそれぞれ形成されている。本実施例では、蛇腹部９は、帯状体１つに対して５つ形成されている。そして、各蛇腹部９間は、蛇腹部非形成領域１１とされている。各蛇腹部非形成領域１１は、それぞれ平坦面１１Ａを有するように構成されている。
【００２０】
図２に示すように、蛇腹部９では、山部分９Ａの頂点２７は、蛇腹部非形成領域１１の平坦面１１Ａ同士を結んだ仮想線（破線Ｌ）と同じ高さ、または、それよりも下側になるにされている。すなわち、蛇腹部９では、平坦面１１Ａ同士を結んだ仮想線（破線Ｌ）と同じ高さ、または、それよりも下側で、山部分（９Ａ）と谷部分（９Ｂ）とが、交互に連続するようにされており、仮想線（破線Ｌ）よりも上側には、山部分（９Ａ）と谷部分（９Ｂ）との連続部分が現れないようにされている。
【００２１】
（２）物品を保持するための保持具の作用効果
実施例１の保持具１によれば、以下の作用効果を奏する。
実施例１の保持具１は、上方が開放された凹空間３を有する保持具本体５と、凹空間３を覆うように配される複数の帯状体７と、を備える。そして、複数の帯状体７には、長手方向に伸縮可能な蛇腹部９がそれぞれ形成されている。
飲み物容器１７を保持具１の上方から下降させると、飲み物容器１７の底が帯状体７に当たる。そして、その状態から更に飲み物容器１７を下降させると、飲み物容器１７の底に当たっている帯状体７の蛇腹部９が、その長手方向に伸張して、図６に示すように変形する。実施例１の保持具１では、収容する飲み物容器１７の大きさや形状等に応じて、各帯状体７がそれぞれ変形する。よって、飲み物容器１７の大きさや形状等に関わらずに、安定して、飲み物容器１７を保持できる。また、実施例１の保持具１は、帯状体７に蛇腹部９が形成されているという簡易な構造により課題を解決している。よって、少数の部品構成とすることができるから、製造も容易である。更に、実施例１の保持具１では、簡易な構造を採用しているから、車両での設置場所に制限が少なく、設置の自由度が増している。よって、実施例１の保持具１を備えた構造体の設計が容易である。
【００２２】
また、実施例１の保持具１では、帯状体７の１つに対して、蛇腹部９が複数形成されているから、飲み物容器１７の大きさや形状等に応じて、各帯状体７が追従しやすくなる。よって、飲み物容器１７を、より安定した姿勢で保持できる。
また、実施例１の保持具１では、上述の従来技術に記載されているような温度変化用の機構を設ける必要がなく、簡易な構造となる。例えば、従来技術では、ＥＣＵ（Electronic Control Unit）を用いた複雑な機構を必要とするが、本実施例１の保持具１ではこのような電気的な制御は不要となる。
また、実施例１の保持具１では、飲み物容器１７を保持具１の上方から下降させるだけで、飲み物容器１７の大きさや形状等に合わせて、蛇腹部９が伸びて帯状体７が変形する。このように実施例１では、上述の従来技術のようなスイッチ操作が不要である。
また、実施例１の保持具１では、蛇腹部非形成領域１１に平坦面１１Ａを備えているから、飲み物容器１７の底に平坦面がある場合には、飲み物容器１７の底が、平坦面１１Ａに載ることになり、飲み物容器１７がより安定する。
【００２３】
＜実施例２＞
次に、実施例２に係る保持具１を、図７〜図１０を参照しつつ説明する。なお、実施例２の保持具１において、上記実施例１の保持具１と略同じ構成部位には同符号を付けて、構造、作用及び効果の説明は省略する。実施例２の保持具１では、次の点が、実施例１の保持具１と相違している。すなわち、実施例２の保持具１では、物品を保持する際に伸びた帯状体７を初期状態に戻すための初期化機構１９が備えられている。
初期化機構１９は、上下移動可能な板状体２１と、板状体２１を移動させるための操作部２３とを備えている。板状体２１は、帯状体７よりも下側に配置されている。
【００２４】
図７に示す初期状態から、飲み物容器１７を保持具１の上方から下降させると、図８に示されるように、飲み物容器１７の大きさや形状等に応じて、蛇腹部９が伸びて帯状体７が変形する。
この状態から、飲み物容器１７を保持具１の上方に持ち上げて、保持具１から取り外しても、図９に示すように、依然として帯状体７が変形した状態で保持されてしまう場合がある。この図９の状態から、操作部２３を上方へ動かすと、それに連動して板状体２１が上方へ移動する。この板状体２１の上方へ移動の際に、図１０に示されるように、伸びていた蛇腹部９は縮んで初期状態に戻る。
【００２５】
実施例２の保持具１のように初期化機構１９を設ければ、初期状態に容易に戻すことができるので、次に、異なる大きさや形状の物品を保持する際に、再び所望の形状に変形させることができ、異なる物品を安定的に保持できるようになる。
【００２６】
＜実施例３＞
次に、実施例３に係る保持具１を、図１１を参照しつつ説明する。なお、実施例３の保持具１において、上記実施例１の保持具１と略同じ構成部位には同符号を付けて、構造、作用及び効果の説明は省略する。実施例３の保持具１では、次の点が、実施例１の保持具１と相違している。すなわち、実施例３の保持具１では、帯状体７のうち、凹空間３の上方に位置する部分の略全面にわたって蛇腹部９が形成されている点が実施例１の保持具１と異なっている。
このように、実施例３の保持具１では、凹空間３の上方に位置する部分の略全面に蛇腹部９が形成されているから、収容する物品の大きさや形状等に応じて、帯状体７がよく追従して変形する。よって、この実施例３の保持具１では、物品を安定して保持することができる。
【００２７】
尚、本発明においては、上記実施例に限られず、目的、用途に応じて本発明の範囲内で種々変更した実施例とすることができる。
上記実施例では、保持具１をカップホルダに適用した例を挙げて説明したが、筆記具保持具等であってもよい。
上記実施例では、保持具１を車両に適用した例を挙げて説明したが、本発明の保持具１は車両用に限らず、広い用途に用いることができる。
上記実施例では、帯状体７の幅は特定のものを例示して説明したが、その幅は特に限定されず、目的に応じて適宜選択できる。
上記実施例では、帯状体７の本数は特定のものを例示して説明したが、その本数は特に限定されず、目的に応じて適宜選択できる。
上記実施例では、蛇腹部９における、山部分９Ａと谷部分９Ｂの個数は、特定の数のものを例示して説明したが、その個数は特に限定されず、目的に応じて適宜選択できる。
【００２８】
上記実施例では、各帯状体７は、図１に示されるように、凹空間３の上端部付近で、側壁１５に挟み込まれて取り付けられているものとしたが、帯状体７の取り付け方法は特に限定されない。例えば、図１２に示されるように、凹空間３の上部開口の縁から内側に突出した板部材２５を用いて、凹空間３の上端部付近に取り付けてもよい。
【００２９】
上記実施例２では、初期化機構１９を、板状体２１と、操作部２３とを備えたものとして説明したが、物品を保持する際に伸びた帯状体７を初期状態に戻す機能を有すれば、その構造は特に限定されない。
【００３０】
前述の例は単に説明を目的とするものでしかなく、本発明を限定するものと解釈されるものではない。本発明を典型的な実施形態の例を挙げて説明したが、本発明の記述および図示において使用された文言は、限定的な文言ではなく説明的および例示的なものであると理解される。ここで詳述したように、その形態において本発明の範囲または精神から逸脱することなく、添付の特許請求の範囲内で変更が可能である。ここでは、本発明の詳述に特定の構造、材料および実施例を参照したが、本発明をここにおける開示事項に限定することを意図するものではなく、むしろ、本発明は添付の特許請求の範囲内における、機能的に同等の構造、方法、使用の全てに及ぶものとする。
【００３１】
本発明は上記で詳述した実施形態に限定されず、本発明の請求項に示した範囲で様々な変形または変更が可能である。
【産業上の利用可能性】
【００３２】
カップホルダ、筆記具保持具等の物品を保持するための保持具に関する技術として広く利用される。
【符号の説明】
【００３３】
１；物品を保持するための保持具
３；凹空間
５；保持具本体
７；帯状体
９；蛇腹部
９Ａ；山部分
９Ｂ；谷部分
１１；蛇腹部非形成領域
１１Ａ；平坦面
１３；底壁
１５；側壁
１７；飲み物容器
１９；初期化機構
２１；板状体
２３；操作部
２５；板部材
２７；頂点
【図１】
2015202148.tif 000003
【図２】
2015202148.tif 000004
【図３】
2015202148.tif 000005
【図４】
2015202148.tif 000006
【図５】
2015202148.tif 000007
【図６】
2015202148.tif 000008
【図７】
2015202148.tif 000009
【図８】
2015202148.tif 000010
【図９】
2015202148.tif 000011
【図１０】
2015202148.tif 000012
【図１１】
2015202148.tif 000013
【図１２】
2015202148.tif 000014